(57)【特許請求の範囲】
【請求項１】
複数の画像を並べてプリントしたシート状部材を、その画像の並び方向と交差する方向に画像毎に切断するためのカッタと、前記シート状部材を前記画像の並びに沿って搬送する搬送手段と、その搬送手段を制御する搬送制御手段とが備えられ、
前記搬送手段は、前記カッタの切断動作位置よりも搬送方向上流側において前記シート状部材を搬送する上流側搬送手段と、前記カッタの切断動作位置よりも搬送方向下流側において前記シート状部材を搬送する下流側搬送手段とを備えて構成されたシート状部材切断装置であって、
前記搬送制御手段は、前記シート状部材における最後の切断位置と前記シート状部材の後端との間の長さが、前記上流側搬送手段の搬送終端位置と前記下流側搬送手段の搬送始端位置との間の長さよりも短いとき、前記カッタにて前記最後の切断位置を切断した後、前記上流側搬送手段に、前記シート状部材を搬送方向上流側へ搬送駆動させるように構成されているシート状部材切断装置。
【発明の詳細な説明】
【技術分野】
【０００１】
本発明は、複数の画像を並べてプリントしたシート状部材を、その画像の並び方向と交差する方向に画像毎に切断するためのカッタと、前記シート状部材を前記画像の並びに沿って搬送する搬送手段と、その搬送手段を制御する搬送制御手段とが備えられ、前記搬送手段は、前記カッタの切断動作位置よりも搬送方向上流側において前記シート状部材を搬送する上流側搬送手段と、前記カッタの切断動作位置よりも搬送方向下流側において前記シート状部材を搬送する下流側搬送手段とを備えて構成されたシート状部材切断装置に関する。
【背景技術】
【０００２】
かかるシート状部材切断装置は、複数の画像がプリントされたシート状部材を予め設定されているサイズで画像毎に切断して行く装置である。
このようにシート状部材を設定サイズに切断して行くには、下記特許文献１にも記載のように、シート状部材を搬送手段にて切断位置を経由して搬送すると共に、搬送手段によるシート状部材の搬送量から切断位置を特定するという手法を用いるのが一般的である。
尚、下記特許文献１は、シート状部材である印画紙に画像をプリントする前に設定サイズに切断する技術であるが、画像をプリントした後に切断する場合も、基本的には同様の考え方でシート状部材を切断できる。
【特許文献１】特開２００４−５３８８１号公報
【発明の開示】
【発明が解決しようとする課題】
【０００３】
しかしながら、上述のような切断操作では、ロール状の長尺シート状部材を引き出して画像をプリントし、それを各画像毎に切断するような場合であれば何も問題はないが、それほど長くはないシート状部材に画像をプリントして、画像毎に切断する場合には、一定の問題があり、それについて、具体的な例を挙げて以下に説明する。
シート状部材の寸法が、８９ｍｍ×３０５ｍｍであり、そのシート状部材に８９ｍｍ×４０ｍｍの画像を複数個プリントしようとする場合、図４（ａ）に例示するようなパターンで画像を配置して、７個の画像を形成することが最も効率よくシート状部材を利用できる。
しかしながら、シート状部材を搬送する搬送手段の機構上の制約によって、上記のよううな効率的な画像の配置を行えない場合がある。
【０００４】
すなわち、シート状部材をカッタの切断動作位置を挟んで搬送するため、機構上の制約として、シート状部材を搬送駆動する部材が、カッタの切断動作位置の搬送方向上流側と搬送方向下流側とで分断されることになる。
このため、カッタの切断動作位置を挟んで搬送方向上流側と搬送方向下流側とに、搬送手段の搬送駆動力がシート状部材に作用しない領域がある程度の長さで存在してしまうことになる。
例えば、その搬送駆動力が作用しない領域の長さが４８ｍｍであったとすると、シート状部材の搬送方向を図４（ａ）矢印Ａで示す方向であったとして、「画像＃１」から切断し始めて「画像＃７」の前端である位置Ｂの切断をする時点までは、カッタの切断動作位置の搬送方向下流側に位置する画像は下流側搬送手段の搬送始端位置に既に到達しているし、搬送方向上流側に位置する画像は更に後続する画像とあわせて上記の４８ｍｍより長い長さとなっているので、問題なく搬送することができるが、「画像＃７」として示す搬送方向で後端の画像は、位置Ｂで切断した後に更に搬送を継続すると、カッタの切断動作位置より搬送方向上流側でシート状部材を搬送する上流側搬送手段の搬送終端位置から外れた状態でも、シート状部材の「画像＃７」の部分の先端が、カッタの切断動作位置より搬送方向下流側でシート状部材を搬送する下流側搬送手段の搬送始端位置に到達していないということになってしまい、「画像＃７」の部分を装置外へ取り出せなくなってしまう。
【０００５】
そのような事態を回避するためには、シート状部材の後端側部分に、上流側搬送手段と下流側搬送手段とで継続的に搬送できるだけの長さの余裕を残しておく必要があり、図４（ｂ）に示すような画像配置を行う必要があり、シート状部材の未利用のエリアが広くなってしまう。
本発明は、かかる実情に鑑みてなされたものであって、その目的は、シート状部材に小さな画像を形成する場合でも、そのシート状部材を有効に利用した画像配置を可能とする点にある。
【課題を解決するための手段】
【０００６】
本出願の発明は、複数の画像を並べてプリントしたシート状部材を、その画像の並び方向と交差する方向に画像毎に切断するためのカッタと、前記シート状部材を前記画像の並びに沿って搬送する搬送手段と、その搬送手段を制御する搬送制御手段とが備えられ、前記搬送手段は、前記カッタの切断動作位置よりも搬送方向上流側において前記シート状部材を搬送する上流側搬送手段と、前記カッタの切断動作位置よりも搬送方向下流側において前記シート状部材を搬送する下流側搬送手段とを備えて構成されたシート状部材切断装置において、前記搬送制御手段は、前記シート状部材における最後の切断位置と前記シート状部材の後端との間の長さが、前記上流側搬送手段の搬送終端位置と前記下流側搬送手段の搬送始端位置との間の長さよりも短いとき、前記カッタにて前記最後の切断位置を切断した後、前記上流側搬送手段に、前記シート状部材を搬送方向上流側へ搬送駆動させるように構成されている。
【０００７】
すなわち、シート状部材における最後の切断位置とシート状部材の後端との間の長さが、上流側搬送手段の搬送終端位置と下流側搬送手段の搬送始端位置との間の長さよりも短く、シート状部材の後端部分をそのまま所定の搬送方向に送り込んでしまうと、シート状部材を搬送駆動できなくなってしまう場合には、そのシート状部材の後端部分をそれまでとは逆方向の搬送方向上流側へ逆送してしまうのである。
これによって、上記のシート状部材の後端部分も装置から取り出せるので、その後端部分も画像の形成エリアとして利用できる。
【発明の効果】
【０００８】
上記本出願の発明によれば、上記のシート状部材の後端部分も画像の形成エリアとして利用できるので、シート状部材に小さな画像を形成する場合でも、そのシート状部材を有効に利用した画像配置を行えるものとなった。
【発明を実施するための最良の形態】
【０００９】
以下、本発明のシート状部材切断装置の実施の形態を図面に基づいて説明する。
本実施形態のシート状部材切断装置ＳＣは、シート状部材ＳＥとして、画像サイズが例えば約４０ｍｍ×８９ｍｍというような小さな画像をプリントした印画紙１を取り扱う。
シート状部材ＳＥである印画紙１には、上記の小さな画像を複数個並べてプリントされているのであるが、本実施形態では、図４（ａ）に示すパターンで７つの小画像を並べてプリントした場合を例示して説明する。
従って、印画紙１の搬送方向（図１における矢印Ｄ方向，図４における矢印Ａ方向）の先端側端部の画像である「画像＃１」は、印画紙１の搬送方向の先端に位置する５ｍｍの余白の次ぎに配置されいる。
これに対して、印画紙１の搬送方向の後端側端部の画像である「画像＃７」については、印画紙１の搬送方向の後端に寄せて配置されるのであるが、「画像＃７」の部分よりも搬送方向後方側に切断が必要となる領域が存在しないように「画像＃７」を配置することが必要となる。
【００１０】
本実施の形態では、図示を省略する写真プリント装置によって、「画像＃１」〜「画像＃７」の７つの画像を３０５ｍｍ×８９ｍｍのサイズに切断した印画紙１にプリントする場合を例示して説明する。このようなプリントサイズとしては、８９ｍｍ幅のロール状印画紙を３０５ｍｍの長さに切断して上記の「画像＃１」〜「画像＃７」の画像を一体に形成するか、あるいは、３０５ｍｍ幅のロール状印画紙を８９ｍｍの長さに切断して上記の「画像＃１」〜「画像＃７」の画像を一体に形成することで得られる。
図３に外観斜視図を示すシート部材切断装置ＳＣは、この印画紙１を、「画像＃１」〜「画像＃７」の７つの画像毎に、何れも４０ｍｍ×８９ｍｍのサイズに切断する。
【００１１】
〔シート状部材切断装置ＳＣの構成〕
シート状部材切断装置ＳＣには、概略構成を模式的に示す図１及び上部筐体を取り外した状態を斜視で示す図２に示すように、第１搬送ローラ１１，第２搬送ローラ１２及びモータ１３を主要部とする印画紙１の搬送手段ＴＭと、図１に模式的に示すカッタ１４やカッタ１４を駆動するアクチュエータを内蔵するカッタユニットＣＵと、フォトインタラプタ式の検出センサである第１光センサ１５及び第２光センサ１６の検出情報に基づいてモータ１３を制御するコントローラ１７とが基本構成として備えられている。
図１において、印画紙１は矢印Ｄで示す方向に搬送され、カッタ１４は、その搬送方向と交差する方向（具体的には直交する方向）に印画紙１を切断する。図４（ａ）の矢印Ａの方向からも明らかなように、印画紙１における画像の並び方向と搬送方向（図１の矢印Ｄの方向）とは一致している。
カッタ１４の搬送方向下流側箇所の下方位置には印画紙１の切断片を回収する回収ボックス１８が備えられている。
【００１２】
上記搬送手段ＴＭは、カッタ１４の切断動作位置よりも搬送方向上流側において印画紙１を搬送する上流側搬送手段ＵＴである第１搬送ローラ１１と、カッタ１４の切断動作位置よりも搬送方向下流側において印画紙１を搬送する下流側搬送手段ＬＴである第２搬送ローラ１２とで、動力源であるモータ１３を共用する形態としているが、上流側と下流側とで別個にモータを備える構成でも良い。
【００１３】
シート状部材切断装置ＳＣにおける印画紙１の搬送経路は、印画紙１を支承する搬送台２１と、搬送台２１に載置された印画紙１の搬送側端を案内する固定ガイド２２及び可動ガイド２３とによって形成されている。
上記第１搬送ローラ１１及び第２搬送ローラ１２は、夫々、上部ローラ１１ａ，１２ａと下部ローラ１１ｂ，１２ｂとの一対で構成され、上部ローラ１１ａ，１２ａと下部ローラ１１ｂ，１２ｂとの間に印画紙１を圧着挟持して搬送駆動する。
このため搬送台２１には、下部ローラ１１ｂ，１２ｂの上端を搬送台２１の搬送面よりもわずかに突出させるための開口部２４が形成されている。
図２及び図３では、シート状部材切断装置ＳＣにおける印画紙１の搬送方向は矢印Ｅで示す方向となり、この一方向に印画紙１を搬送する。
尚、図２では第１搬送ローラ１１についてのみ図示しているが、カッタユニットＣＵを挟んで反対側に位置する第２搬送ローラ１２についても同様の構成としてある。
【００１４】
上部ローラ１１ａ，１２ａ及び下部ローラ１１ｂ，１２ｂの回転軸の両端部は、ギヤ機構２５により連結され、上部ローラ１１ａ，１２ａと下部ローラ１１ｂ，１２ｂとが連動して回転する。
下部ローラ１１ｂ，１２ｂの回転軸には電磁クラッチ（図示を省略）を介してプーリ２６が取付けられ、下部ローラ１１ｂの回転軸に連なるプーリ２６と、下部ローラ１２ｂの回転軸に連なるプーリ（図示を省略）と、モータ１３の駆動軸に取り付けられたプーリ２７との間にタイミングベルト２８が掛け回され、モータ１３の駆動力によって第１搬送ローラ１１及び第２搬送ローラ１２を同一の周速度（すなわち、同一の搬送速度）で一体に搬送動作させる。又、コントローラ１７からの制御信号で上記電磁クラッチを切り操作することで、モータ１３が回転しても、第１搬送ローラ１１、第２搬送ローラ１２による印画紙１の搬送駆動を停止させることができる。
本実施の形態では、モータ１３はステッピングモータにて構成しており、コントローラ１７は、印画紙１の搬送量を、その搬送量に比例するモータ１３への駆動パルス数で管理している。
尚、図１では、図面を簡単にするために、タイミングベルト２８が下部ローラ１１ｂ，１２ｂに巻回されているように図示して、その機能を明示している。
【００１５】
固定ガイド２２には、搬送手段ＴＭによる搬送経路上の設定位置を検出作用位置として上述の第１光センサ１５及び第２光センサ１６が設置されており、図１に示すように、第１光センサ１５の検出作用位置と第２光センサ１６の検出作用位置との間隔は「５１ｍｍ」に設定してあり、又、カッタ１４の切断動作位置と第２光センサ１６の検出作用位置との間隔は「１４ｍｍ」に設定してある。
更に、本実施の形態では、上流側搬送手段ＵＴである第１搬送ローラ１１及び下流側搬送手段ＬＴである第２搬送ローラ１２の何れについても、１組のローラ対で構成しているため、夫々での搬送始端位置と搬送終端位置とは一致しており、上流側搬送手段ＵＴの搬送終端位置と下流側搬送手段ＬＴの搬送始端位置との間の長さは、第１搬送ローラ１１と第２搬送ローラ１２との搬送方向での中心間の距離であり「４８ｍｍ」に設定されている。
又、カッタ１４の切断動作位置と第１搬送ローラ１１及び第２搬送ローラ１２との間の間隔は、何れも「２４ｍｍ」に設定してある。
【００１６】
操作者は、印画紙１にプリントされた複数画像を画像毎に切断する作業を行うとき、固定ガイド２２と可動ガイド２３との間隔が印画紙１の搬送横幅方向の寸法に一致するように、可動ガイド２３の位置を固定ガイド２２に対して接近離間方向に位置調整する。
この調整によって、印画紙１の端縁は固定ガイド２２に設置された第１光センサ１５及び第２光センサ１６の検出作用位置を通過し、第１光センサ１５及び第２光センサ１６によって印画紙１の存否が検出される。
【００１７】
〔切断動作〕
次ぎに、実際の印画紙１の切断動作について説明する。
実際の印画紙１の切断動作においては、コントローラ１７は、図５乃至図９のフローチャートに示す処理を実行する。
図５乃至図９のフローチャートに示す処理は、全長が３０５ｍｍの印画紙１に１つの画像の長さが４０ｍｍの画像の図４（ａ）に示すように配置したものを切断するための処理であり、図示を省略するスイッチで、印画紙１の全長と１つの画像の長さとを、上記の値に操作者が指定したときに、図５乃至図９の処理が呼び出されて実行される。
従って、図５乃至図９のフローチャートに示す処理は、印画紙１における最後の切断位置（「画像＃７」の前端位置）と印画紙１の後端との間の長さ（４０ｍｍ）が、上流側搬送手段ＵＴの搬送終端位置と下流側搬送手段ＬＴの搬送始端位置との間の長さ（４８ｍｍ）よりも短いときの処理である。
コントローラ１７は、図５乃至図９のフローチャートを実行することによって、搬送手段ＴＭを制御する搬送制御手段ＣＣとして機能する。
尚、図５乃至図９のフローチャートの処理は、モータ１３へ送る駆動パルスの周波数よりも十分高速に実行される。
【００１８】
操作者が、図４（ａ）のパターンで７つの画像をプリントした印画紙１を、図４で矢印Ａで示す方向が図２（あるいは図３）の矢印Ｅの方向となるように搬送台２１上を滑らせて挿入すると、第１光センサ１５が印画紙１の先端を検出する（ステップ＃１）。印画紙１の先端の検出は、印画紙１が存在していない状態から存在する状態に変化したときを先端が通過したものとして検出する。逆に、印画紙１が存在する状態から存在していない状態に変化したときを後端が通過したものとして検出する。
印画紙１の先端を検出すると（ステップ＃１）、モータ１３に対する一定周波数の駆動パルス信号の送出を開始し、第１搬送ローラ１１及び第２搬送ローラ１２に一定速度での搬送動作を開始させる（ステップ＃２）。
【００１９】
操作者によって挿入された印画紙１の先端が第１搬送ローラ１１の設置箇所に到達して第１搬送ローラ１１に挟持される状態となると印画紙１が第１搬送ローラ１１等により構成される搬送手段ＴＭにより搬送される状態となる。
第１搬送ローラ１１による印画紙１の搬送が継続されて、上記の第１光センサ１５の場合と同様に第２光センサ１６の出力信号の変化によって、第２光センサ１６の検出作用位置を印画紙１の先端が通過したことを検知すると（ステップ＃３）、モータ１３へ送る駆動パルス数をカウントする主カウンタにカウントを開始させる（ステップ＃１４）。
【００２０】
この後、前記主カウンタのカウント値が、１９ｍｍの搬送量に相当するカウント値に到達すると（ステップ＃５）、図８に示すカッタ駆動処理（ステップ＃６）を実行する。
すなわち、モータ１３への駆動パルスの送出を停止させて印画紙１の搬送を停止し（ステップ＃４１）、カッタユニットＣＵに対して切断動作の実行を指示する（ステップ＃４２）。
カッタユニットＣＵから切断動作が完了した旨の信号を受け取ると（ステップ＃４３）、図５での処理に戻る。
このときの印画紙１の搬送位置は、第２光センサ１６が印画紙１の先端を検出してから１９ｍｍ搬送した位置であるので、カッタ１４は印画紙１の先端に位置する５ｍｍ幅の余白部分を切り落としたことになる。
【００２１】
余白の部分を切り落とした後、モータ１３への駆動パルスの送信を再開する（ステップ＃７）と共に、前記主カウンタのカウント値をリセットしてカウントを再開させる（ステップ＃８）。
この後、主カウンタのカウント値が４０ｍｍの搬送量に到達すると（ステップ＃９）、カッタ駆動処理（図８で示す処理）を実行して印画紙１を切断する（ステップ＃１０）。
更に、モータ１３への駆動パルスの送信を再開して（ステップ＃１１）、前記主カウンタのカウント値をリセットしカウントを再開させ（ステップ＃１２）、主カウンタのカウント値が３ｍｍの搬送量に到達すると（ステップ＃１３）、カッタ駆動処理（図８で示す処理）を実行して印画紙１を切断する（ステップ＃１０）。
これは、各画像の部分とそれに引き続く幅３ｍｍの余白の部分とを夫々切断する処理で、これを５回繰り返す（ステップ＃１５）。この５回の繰り返しを終了すると、「画像＃６」の前端側が切り落とされたことになっている。
【００２２】
この後、モータ１３への駆動パルスの送信を再開する（ステップ＃１６）と共に、前記主カウンタのカウント値をリセットしてカウントを再開させ（ステップ＃１７）、第１光センサ１５の検出作用位置を印画紙１の後端が通過するのを監視しながら（ステップ＃１８）、主カウンタのカウント値が「画像＃６」の分の４０ｍｍの到達するのを待機する（ステップ＃２０）。
このときに、第１光センサ１５の検出作用位置を印画紙１の後端が通過したのを検出すると（ステップ＃１８）、前記主カウンタとは別個に備えられているカウンタ（説明の便宜上このカウンタを「補助カウンタ」と称する）に、モータ１３へ送る駆動パルス数のカウントを開始させる（ステップ＃１９）。
【００２３】
印画紙１の搬送量が４０ｍｍに到達すると（ステップ＃２０）、カッタ駆動処理（図８参照）を実行して（ステップ＃２１）、「画像＃６」の後端を切り落とす。
この後、モータ１３への駆動パルスの送信を再開する（ステップ＃２１）と共に、前記主カウンタのカウント値をリセットしてカウントを再開させ（ステップ＃２２）、上記補助カウンタのカウント値が２５ｍｍの搬送量に相当する値に到達するのを監視しながら（ステップ＃２４）、図９に示す「余白部の細切れ処理」を実行する（ステップ＃２５）。
【００２４】
図９に示す「余白部の細切れ処理」は、「画像＃６」を切り離した後、「画像＃６」と「画像＃７」との間の余白部について、そのまま「画像＃７」を切り離す切断位置まで印画紙６を搬送するのではなく、設定長さ（本実施形態では、３ｍｍ）を搬送する毎に切断する処理である。３ｍｍ間隔で細切れに切断された印画紙１の紙片は回収ボックス１８へと落下する。
【００２５】
図９の「余白部の細切れ処理」では、先ず、「画像＃６」の後端を切断した時点からの印画紙１の搬送距離が３ｍｍの整数倍（０を除く）となったか否かを確認し（ステップ＃５１）、３ｍｍの整数倍でなければ直ちに図６のフローチャートに戻る。
「画像＃１」を切り離した時点からの印画紙１の搬送距離が３ｍｍの整数倍となっていれば（ステップ＃５１）、カッタ駆動処理（図８で示す処理）を実行して（ステップ＃５２）、印画紙１を切断し、モータ１３への駆動パルスの送出を再開させる（ステップ＃５３）。
この「余白部の細切れ処理」が繰り返し呼び出されることによって、余白部は３ｍｍ間隔で切断されて行く。但し、図４（ａ）に示す画像配置になっているので、呼び出されるのは１回のみになる。
【００２６】
上記の「余白部の細切れ処理」を実行しながら、前記補助カウンタのカウント値が２５ｍｍの搬送量に相当する値に到達すると（ステップ＃２４）、カッタ駆動処理（図８参照）を実行し（ステップ＃２６）、「画像＃７」の前端を切断する。第１光センサ１５の検出作用位置とカッタ１４の切断動作位置との間の距離が６５ｍｍであるので、補助カウンタのカウント値が２５ｍｍに相当するカウント値となった位置で切断することで、印画紙１の搬送方向での長さが多少ばらついても、「画像＃７」を正確に４０ｍｍの幅で切断できることになる。
【００２７】
この状態から、上流側の第１搬送ローラ１１の電磁クラッチを切り操作して（ステップ＃２７）、モータ１３の駆動力が第１搬送ローラ１１に伝達されないようにした状態で、モータ１３への駆動パルスの送信を再開する（ステップ＃２８）と共に、前記主カウンタのカウント値をリセットしてカウントを再開させ（ステップ＃２９）、主カウンタのカウント値が１９ｍｍの搬送量に相当する値に到達して、「画像＃６」が搬送方向へ排出されるのを待つ（ステップ＃３０）。
「画像＃６」の部分が排出されると、下流側の第２搬送ローラ１２の電磁クラッチを切り操作して（ステップ＃３１）、モータ１３の駆動力が第２搬送ローラ１２に伝達されないようにすると共に、更に、上流側の第１搬送ローラ１１の電磁クラッチを入り操作して（ステップ＃３２）、モータ１３の駆動力が第１搬送ローラ１１に伝達されるようにする。
【００２８】
このように駆動力の伝達態様を設定して、モータ１３の回転方向を逆方向に設定した状態で、モータ１３への駆動パルスの送信を再開する（ステップ＃３３）と共に、前記主カウンタのカウント値をリセットしてカウントを再開させ（ステップ＃３４）る。
これによって、第１搬送ローラ１１が、印画紙１の後端の画像である「画像＃７」の部分を搬送方向上流側へ搬送駆動する。
主カウンタのカウント値が２４ｍｍの搬送量に相当する値に到達して（ステップ＃３５）、「画像＃７」の部分が印画紙１を挿入した側への逆送が完了すると、モータ１３を停止させて（ステップ＃３６）、処理を終了する。
上記のステップ＃２７〜ステップ＃３６の処理は、搬送方向での１つの画像の長さが４０ｍｍと短い場合に特有の処理であり、例えば、１つの画像の搬送方向での長さが５５ｍｍと、第１搬送ローラ１１と第２搬送ローラ１２との間の長さ（４８ｍｍ）よりも長いときには、上記のような最後の画像を挿入側へ逆送する処理は備えていない。
【００２９】
〔別実施形態〕
以下、本発明の別実施形態を列記する。
（１）上記実施の形態では、シート状部材ＳＥとして例示している印画紙１に７つの画像を並べてプリントする場合を例示しているが、６つ以下の画像を並べてプリントする場合であっても、又、８つ以上の画像を並べてプリントする場合であっても本発明を適用できる。
（２）上記実施の形態では、シート状部材切断装置ＳＣで切断対象とするシート状部材ＳＥとして印画紙１を例示しているが、例えばインクジェットプリンタ用の記録紙等、画像のプリントが可能であれば各種のシート状部材ＳＥの切断に利用できる。
（３）上記実施の形態では、印画紙１を搬送する搬送手段ＴＭとして、第１搬送ローラ１１及び第２搬送ローラ１２によって搬送する場合を例示しているが、例えばベルトコンベア式の搬送機構等、各種の搬送手段を用いることができる。
（４）上記実施の形態では、シート状部材切断装置ＳＣを単体の装置として構成する場合を例示しているが、印画紙１に画像をプリントするプリント装置内に設置して、プリント処理の完了した印画紙の切断処理をプリント処理と一連に行えるようにしても良い。
【００３０】
（５）上記実施の形態では、電磁クラッチを備えて、第２搬送ローラ１２にて「画像＃６」の部分を搬送方向下流側へ排出しているときに、「画像＃７」の部分が第１搬送ローラ１１にて搬送方向下流側へ搬送されないようにしているが、「画像＃６」と「画像＃７」との間の余白の部分を例えば１５ｍｍと長くすることで、電磁クラッチを設けずに第１搬送ローラ１１と第２搬送ローラ１２とをモータ１３が常時一体に回転駆動する構成とできる。
すなわち、「画像＃７」の前端（図４（ａ）に位置Ｂで示す）を切断した後、モータ１３を逆転させて、「画像＃７」の部分を２４ｍｍ分搬送方向上流側へ逆送させ、これに伴って「画像＃６」の部分も搬送方向上流側へ移動しても、「画像＃６」の部分は第２搬送ローラ１２に挟持されている状態を維持しているので、この後、問題なく「画像＃６」の部分を搬送方向下流側へ排出できる。
【図面の簡単な説明】
【００３１】
【図１】本発明の実施の形態にかかる概略構成図
【図２】本発明の実施の形態にかかる装置内部の構成の斜視図
【図３】本発明の実施の形態にかかる装置の外観斜視図
【図４】シート状部材への画像の配置態様を説明する図
【図５】本発明の実施の形態にかかるフローチャート
【図６】本発明の実施の形態にかかるフローチャート
【図７】本発明の実施の形態にかかるフローチャート
【図８】本発明の実施の形態にかかるフローチャート
【図９】本発明の実施の形態にかかるフローチャート
【符号の説明】
【００３２】
１４  カッタ
ＣＣ  搬送制御手段
ＬＴ  下流側搬送手段
ＳＥ  シート状部材
ＴＭ  搬送手段
ＵＴ  上流側搬送手段
【図１】
0004798157.tif 000002
【図２】
0004798157.tif 000003
【図３】
0004798157.tif 000004
【図４】
0004798157.tif 000005
【図５】
0004798157.tif 000006
【図６】
0004798157.tif 000007
【図７】
0004798157.tif 000008
【図８】
0004798157.tif 000009
【図９】
0004798157.tif 000010